(57)【要約】【課題】本発明は、鼻孔のような体内孔に挿入する生体組織採取具に関するものであり、生体組織に対する検査を安定化できるようにすることを目的とする。【解決手段】そして、この目的を達成するために本発明は、長形状の本体１と、この本体１の先端側に設けた採取部２と、本体１の中部又は後端側に設けた保持部３と、を備え、採取部２は、本体１の先端側において垂下した先端垂下壁１０と、この本体１の先端側における側部において垂下した側部垂下壁１１と、を有する。【選択図】  図２
2014038059.tif 000002
【特許請求の範囲】
【請求項１】
長形状の本体と、
この本体の先端側に設けた採取部と、
前記本体の中部又は後端側に設けた保持部と、を備え、
前記採取部は、前記本体の先端側において垂下した先端垂下壁と、この本体の先端側における側部において垂下した側部垂下壁と、を有する生体組織採取具。
【請求項２】
前記側部垂下壁の下部は、上部よりも内方に位置させた傾斜状態とした請求項１に記載の生体組織採取具。
【請求項３】
前記先端垂下壁と前記側部垂下壁の少なくとも一方は、その上部よりも下部の肉厚を薄くした請求項１又は２に記載の生体組織採取具。
【請求項４】
前記本体を前部側本体と後部側本体に分割し、前記前部側本体の先端に前記採取部を設け、この前部側本体の後端には操作部を設け、前記後部側本体には前記前部側本体の操作部を長手方向にスライド自在に保持するスライド保持部を設けた請求項１〜３のいずれか一つに記載の生体組織採取具。
【請求項５】
前記採取部は、前記本体の先端側における両側の側部において前記側部垂下壁を有し、この両側の側部における前記側部垂下壁を跨いで、その上部に孔部を有することを特徴とする請求項１〜４のいずれか一つの記載の生体組織採取具。
【発明の詳細な説明】
【技術分野】
【０００１】
本発明は、生体組織採取具に関するものであり、特に鼻孔のような体内孔に挿入する採取具に関するものである。
【背景技術】
【０００２】
生体組織採取具として一般的に用いられているものは、綿棒等がある。例えば、インフルエンザの検査キットのようなインフルエンザの簡易検査を行うような装置においても、体内孔の一例である鼻孔内の粘膜を採取するために、綿棒が用いられている。（例えば、特許文献１）
【先行技術文献】
【特許文献】
【０００３】
【特許文献１】特開２００１−２８９８４４号公報
【発明の概要】
【発明が解決しようとする課題】
【０００４】
上記の従来例における課題は、生体組織に対する検査が不安定になることであった。
【０００５】
すなわち、綿棒による採取は、付着によって生体組織を採取しようとするものであるため、採取量が少なく、このように少ない量の生体組織を用いた検査は、不安定なものになってしまうのであった。
【０００６】
そこで、本発明は、生体組織に対する検査を安定化することができるようにすることを目的とする。
【課題を解決するための手段】
【０００７】
そして、この目的を達成するために本発明は、長形状の本体と、この本体の先端側に設けた採取部と、前記本体の中部又は後端側に設けた保持部と、を備え、前記採取部は、前記本体の先端側において垂下した先端垂下壁と、この本体の先端側における側部において垂下した側部垂下壁と、を有する構成とし、これにより所期の目的を達成するものである。
【発明の効果】
【０００８】
以上のように本発明は、長形状の本体と、この本体の先端側に設けた採取部と、前記本体の中部又は後端側に設けた保持部と、を備え、前記採取部は、前記本体の先端側において垂下した先端垂下壁と、この本体の先端側における側部において垂下した側部垂下壁と、を有する構成としたので、生体組織の検査を安定化することができる。
【０００９】
すなわち、本発明においては、本体の先端側に設けた採取部を、前記本体の先端側において垂下した先端垂下壁と、この本体の先端側における側部において垂下した側部垂下壁と、を有する構成としたので、生体組織の採取時には、この先端垂下壁及び側部垂下壁に囲まれた部分に十分な量の生体組織を採取することができ、その結果として生体組織の  検査を安定化することができるのである。
【図面の簡単な説明】
【００１０】
【図１】本発明の実施の形態１における生体組織採取具の使用状態を示す斜視図
【図２】（ａ）本発明の実施の形態１における生体組織採取具の斜視図、（ｂ）上面図、（ｃ）（ｂ）のＡ−Ａ線断面図、（ｄ）（ｂ）のＢ−Ｂ線断面図
【図３】（ａ）（ｂ）（ｃ）本発明の実施の形態１における先端垂下壁及び側部垂下壁の拡大上面図
【図４】（ａ）本発明の実施の形態１における先端垂下壁及び側部垂下壁の上面図の変形例、（ｂ）（ａ）のＢ−Ｂ線断面図
【発明を実施するための形態】
【００１１】
以下に、本発明の一実施の形態を、鼻孔内の生体組織採取具に適用したものを、図面とともに詳細に説明する。
（実施の形態１）
図１において示されるように、本実施形態の生体組織採取具は、長形状の本体１と、この本体１の先端側に設けた採取部２と、前記本体１の後端側（中部でもよい）に設けた保持部３と、を備えている。
【００１２】
本体１は、図２に示す前部側本体４と後部側本体５とに分割されている。前記前部側本体４は、その先端部に採取部６を設け、この前部側本体４の後端には操作部７を設け、前記後部側本体５には前記前部側本体４の操作部７を長手方向にスライド自在に保持するスライド保持部８を設けている。
【００１３】
前記前部側本体４における採取部６と操作部７は一体化されたものであり、操作部７の外表面には、この指あて部９を設けている。そして、この操作部７が上述のごとく後部側本体５に設けた溝状のスライド保持部８内に、スライド自在に装着されている。
【００１４】
本実施形態における特徴は、前記前部側本体４の先端部に設けた採取部６を図２に示すごとく、前記前部側本体４の先端側において垂下した先端垂下壁１０と、この前部側本体４の先端側における側部において垂下した側部垂下壁１１とにより構成したことである。
【００１５】
すなわち、本実施形態における生体組織採取具は、図１に示すごとく、保持部３を持った状態で採取部６を鼻孔１２内に挿入し、次に操作部７をスライド保持部８に沿って後方へと引くことになる。その結果、鼻孔１２内の生体組織は、採取部６によって、十分な量が採取されることになる。この点についてさらに詳細に説明すると、本実施形態においては、採取部６は、上述した本体の先端側において垂下した先端垂下壁１０と、この先端側における側部において垂下した側部垂下壁１１と、を有する構成としたので、生体組織の採取時には、この先端垂下壁１０及び側部垂下壁１１に囲まれた部分に採取されることになり、その結果として、十分な量の生体組織を採取することができ、これにより生体組織の検査を安定化することができるのである。
【００１６】
なお、採取された生体組織の検査を実行する場合には、鼻孔１２から引き出された前部側本体４において、採取部６と操作部７の間に設けた切断部１３で、採取部６を分離し、この分離された採取部６を処理容器（例えば、ビーカー、試験管のようなもので、内部に溶液が注入されている）内に直接投入し、その処理容器内に生体組織を溶出させる。
【００１７】
また、本実施形態においては、前部側本体４の先端側において、先端垂下壁１０及び側部垂下壁１１を垂直方向に垂下させたが、側部垂下壁１１の下部は、上部よりも内方に位置させた傾斜状態としてもよい。すなわち、このような構成とすれば、先端垂下壁１０及び側部垂下壁１１に囲まれた部分に採取された生体組織が、その外方に流出しにくくなるのである。特に、先端垂下壁１０及び側部垂下壁１１の材質が柔らかい性質を有する場合には、その下部が内方に位置して傾斜していると、生体組織が、より外方に流出しにくくなるのである。
【００１８】
さらに、本実施形態においては、前部側本体４の先端側に設けた先端垂下壁１０及び側部垂下壁１１は、その上部の肉厚を下部の肉厚とほぼ同じものとしたが、これら先端垂下壁１０と側部垂下壁１１の少なくとも一方は、その上部よりも下部の肉厚を薄くしてもよい。すなわち、このような構成とすれば、生体組織の採取時に、採取部６を鼻孔１２内の組織に沿わせてスライドさせるときにも、その下部が肉薄で柔らかいものとなるので、人体に対する刺激を小さくすることができ、また、人体に対する接触面の負荷も小さくすることもできるのである。
【００１９】
さらにまた、本実施形態においては、前部側本体４の先端側に設けた先端垂下壁１０及び側部垂下壁１１は、図３（ａ）に示すように、直角のような状態としたが、図３（ｂ）に示すように丸の状態としても、図３（ｃ）に示すように三角の状態としてもよい。丸の状態とする場合であっても、三角の状態とする場合であっても、図３（ｂ）及び図３（ｃ）にそれぞれ示すように、先端垂下壁１０及び側部垂下壁１１が存在する。
【００２０】
なお、本実施形態における採取部６は、図４（ａ）に示すごとく、本体１の先端側における両側の側部において側部垂下壁１１を有し、この両側の側部における側部垂下壁１１を跨いで、その採取部６の上部に孔部１４を有してもよい。この場合の採取部６は、その断面図である図４（ｂ）に示すように、図２（ｄ）の断面図の形状とは異なり、採取部６の上部に壁面が存在しない構成となる。すなわち、このような構成とすれば、採取が行われる際に、採取された生体組織が特に粘着性を有する場合に、単に先端垂下壁１０と側部垂下壁１１に囲まれる部分に生体組織が保持されるのみならず、採取部６の上部に空けられた孔部１４を通って、採取部６の上部にも、生体組織が押し上げられて保持される。この結果として、生体組織の採取量を向上させることができる。
【産業上の利用可能性】
【００２１】
以上のように本発明の生体組織採取具は、各種生体組織の検査器具としての活用が期待されるものである。
【符号の説明】
【００２２】
１  本体
２  採取部
３  保持部
４  前部側本体
５  後部側本体
６  採取部
７  操作部
８  スライド保持部
９  指あて部
１０  先端垂下壁
１１  側部垂下壁
１２  鼻孔
１３  切断部
１４  孔部
【図１】
2014038059.tif 000003
【図２】
2014038059.tif 000004
【図３】
2014038059.tif 000005
【図４】
2014038059.tif 000006